(57)【特許請求の範囲】
【請求項１】
建物の壁、床、天井、又は屋根のいずれかの内部に設けてある断熱材の内部に配管類を納める建物の配管方法において、
前記断熱材として２層をなして積層される断熱材を装填し、
２層の断熱材のうちの少なくとも１層の断熱材が互いに２分割された分割断熱材とされ、
分割断熱材の分割境界部を開き、当該分割断熱材の分割境界部の開き口から挿入される配管類をそれら２層の断熱材の間に納めることを特徴とする建物の配管方法。
【請求項２】
前記断熱材として、室内側の内層と室外側の外層の内外２層をなす内層断熱材と外層断熱材が積層されて装填され、
内層断熱材が分割断熱材とされてなる請求項１に記載の建物の配管方法。
【請求項３】
前記配管類が空調用配管である請求項１又は２に記載の建物の配管方法。
【請求項４】
請求項１〜３のいずれかに記載の建物の配管方法が適用される建物ユニットであって、
前記２層の断熱材が装填されてなる建物ユニット。
【請求項５】
請求項１〜３のいずれかに記載の建物の配管方法が適用されてなる建物。
【発明の詳細な説明】
【技術分野】
【０００１】
本発明は建物の配管方法に関する。
【背景技術】
【０００２】
従来、建物の壁内配管方法として、特許文献１に記載の如く、工場生産段階で、建物ユニットの外壁を構成する外壁面材と内壁面材の間に断熱材を装填し、この断熱材の内壁面材側に配管用空間を設け、この配管用空間に断熱材を巻付けた配管を圧入して納めるようにしている。
【０００３】
そして、上述の建物ユニットを据付けてユニット建物を構築する現地施工段階では、各建物ユニットに納めてある配管同士をワンタッチジョイント等の継手で接続することにより、それらの配管をユニット建物に延在するものとしている。
【先行技術文献】
【特許文献】
【０００４】
【特許文献１】特開2001-323562
【発明の概要】
【発明が解決しようとする課題】
【０００５】
特許文献１に記載の建物の壁内配管方法には以下の問題点がある。
(a)建物ユニットの外壁内に設けられる断熱材の内部に配管を納めるとき、それらの断熱材とは別個の断熱材を配管に巻付け、この配管をそれらの断熱材の内壁面材側に設けた配管用空間に圧入するものであり、構造及び施工が複雑になる。
【０００６】
(b)複数の各建物ユニットの外壁内に設けてある断熱材に納められている配管同士を現地で接続するには、複数の継手が必要になるし、施工も困難である。
【０００７】
本発明の課題は、建物の壁、床、天井、又は屋根のいずれかの内部に設けられる断熱材の内部に簡易に配管類を納めることにある。
【０００８】
本発明の他の課題は、複数の建物ユニットからなる建物に配管類を延在する施工作業性を向上することにある。
【課題を解決するための手段】
【０００９】
請求項１に係る発明は、建物の壁、床、天井、又は屋根のいずれかの内部に設けてある断熱材の内部に配管類を納める建物の配管方法において、前記断熱材として２層をなして積層される断熱材を装填し、２層の断熱材のうちの少なくとも１層の断熱材が互いに２分割された分割断熱材とされ、分割断熱材の分割境界部を開き、当該分割断熱材の分割境界部の開き口から挿入される配管類をそれら２層の断熱材の間に納めることを特徴とする。
【００１０】
請求項２に係る発明は、請求項１に係る発明において更に、前記断熱材として、室内側の内層と室外側の外層の内外２層をなす内層断熱材と外層断熱材が積層されて装填され、内層断熱材が分割断熱材とされてなることを特徴とする。
【００１１】
請求項３に係る発明は、請求項１又は２に係る発明において更に、前記配管類が空調用配管であることを特徴とする。
【００１２】
請求項４に係る発明は、請求項１〜３のいずれかに記載の建物の配管方法が適用される建物ユニットであって、前記２層の断熱材が装填されてなることを特徴とする。
【００１３】
請求項５に係る発明は、請求項１〜３のいずれかに記載の建物の配管方法が適用されてなることを特徴とする建物である。
【発明の効果】
【００１４】
（請求項１、４、５）
(a)建物の壁、床、天井、又は屋根のいずれかの内部に２層をなして積層される断熱材を装填し、２層の断熱材のうちの少なくとも１層の断熱材が互いに２分割された分割断熱材とされ、分割断熱材の分割境界部を開き、当該分割断熱材の分割境界部の開き口から挿入される配管類をそれら２層の断熱材の間に納める。
【００１５】
壁、床、天井、又は屋根のいずれかの内部に装填した分割断熱材の分割境界部を開くことで、配管類をその分割境界部の開き口から２層の断熱材の間に挿入した後、分割断熱材の分割境界部を単に閉じることで、２層の断熱材の内部に簡易に配管類を納めることができる。
【００１６】
尚、このようにして壁、床、天井、又は屋根のいずれかの内部に納めた配管類のメンテナンス等のための取出しも簡易である。
【００１７】
(b)建物が複数の建物ユニットを現地で上下（又は左右）に組立てられるユニット建物であるときには、予め各建物ユニットの工場生産段階でそれらの壁、床、天井、又は屋根のいずれかの内部に上述の２層の断熱材を装填しておく。そして、現地施工段階で、複数の建物ユニットに渡る長尺の配管類を、上述(a)の如くに簡易に、各建物ユニットの壁、床、天井、又は屋根のいずれかの内部に装填してある分割断熱材の分割境界部から２層の断熱材の内部に納める。これにより、各建物ユニット毎に区分けした複数の短尺の配管類や継手を用いることなく、各建物ユニットの壁、床、天井、又は屋根のいずれかの内部に設けられる断熱材の内部に配管類を延在する施工作業性を向上できる。
【００１８】
（請求項２）
(c)断熱材として、室内側の内層と室外側の外層の内外２層をなす内層断熱材と外層断熱材が積層されて装填され、内層断熱材が分割断熱材とされる。
【００１９】
建物の室内側の内層と室外側の外層の内外２層をなす断熱材のうち、内層断熱材を上述(a)、(b)の分割断熱材とする。これにより、配管類を、上述(a)、(b)の如くに簡易に、建物の室内側に装填してある分割断熱材の分割境界部から内層断熱材と外層断熱材の内部に納めることができる。その後、内壁面材が設けられる。
【００２０】
（請求項３）
(d)上述(a)〜(c)の配管類を空調用配管とするとき、空調用配管は２層の断熱材により外部に対して密封され、空調用配管内の冷媒、熱媒の断熱、遮音が図られる。
【図面の簡単な説明】
【００２１】
【図１】図１はユニット建物を示す模式図である。
【図２】図２は建物の壁内配管方法を示す模式図である。
【発明を実施するための形態】
【００２２】
図１、図２に示すユニット建物１０は、工場生産された複数の建物ユニット１１を現地に輸送し、それらの複数の建物ユニット１１を現地で上下（又は左右）に組立てて構築されたものである。尚、図２は２個の左右に隣接設置された建物ユニット１１を示しており、各建物ユニット１１の鋼管製柱１２に設けた外壁１３の壁取付部１４に、工場生産段階で外壁面材１５が取付けられ、現地施工段階で内壁面材１６が取付けられるものを示している。
【００２３】
そして、ユニット建物１０は、空調システムを備えるものであり、室外の地上に設置した室外機２１と、２階建物ユニット１１の室内に設置した室内機２２とが、複数本（１本でも可）の空調用配管２３（配管類）を介して接続される。
【００２４】
このとき、空調用配管２３は、１階建物ユニット１１の外壁１３〜２階建物ユニット１１の外壁１３に渡って延在される。空調用配管２３は、１階建物ユニット１１の外壁１３〜２階建物ユニット１１の外壁１３に渡って連続をなす長尺とされ、図２に示す如く、それらの外壁１３の壁内に設けてある断熱材３０の内部に納められている。以下、建物ユニット１１の外壁１３の壁内における断熱材３０の納まりについて説明する。
【００２５】
建物ユニット１１は、工場生産段階で、外壁１３の壁内に２層をなして積層される断熱材３０が装填される。本実施例では、外壁１３において工場生産段階で取付けられる外壁面材１５の内側に、室内側の内層と室外側の外層の内外２層をなす内層断熱材３１と外層断熱材３２が積層されて装填される。
【００２６】
このとき、２層の断熱材３１、３２のうちの少なくとも１層、本実施例では内層断熱材３１が互いに２分割（外壁１３の壁厚に直交する方向において２分割）された分割断熱材３１Ａ、３１Ｂとされる。両分割断熱材３１Ａ、３１Ｂはそれらの分割境界部Ｒでそれらの相突合わされる端面同士を隙間なく接する。
【００２７】
ユニット建物１０の現地施工段階で、各建物ユニット１１が上下（又は左右）に組立てられて構築された後、空調用配管２３が１階建物ユニット１１の外壁１３〜２階建物ユニット１１の外壁１３の各外壁１３の壁内に設けてある上述の断熱材３０の内部に納められる。
【００２８】
即ち、各建物ユニット１１の図２（Ａ）に示す外壁１３の壁内で、内層断熱材３１を構成している両分割断熱材３１Ａ、３１Ｂの相突合わされる端部を室内側に引き出す如くに弾性曲げ変形させてそれらの分割境界部Ｒを図２（Ｂ）に示す如くに開く。そして、両分割断熱材３１Ａ、３１Ｂの分割境界部Ｒの開き口Ｋから挿入される空調用配管２３を外層断熱材３２に形成される凹部に押し込み、両分割断熱材３１Ａ、３１Ｂの相突合わされる端部を弾性的に復元させてそれらの分割境界部Ｒを閉じる。これにより、空調用配管２３が、図２（Ｃ）に示す如く、それらの２層の断熱材３１、３２の間に挟まれる如くに納められる。その後、各建物ユニット１１の柱１２に設けた壁取付部１４に内壁面材１６が取付けられる。
【００２９】
本実施例によれば、以下の作用効果を奏する。
(a)ユニット建物１０の外壁１３内に２層をなして積層される断熱材３０を装填し、２層の断熱材３１、３２のうちの少なくとも１層の内層断熱材３１が互いに２分割された分割断熱材３１Ａ、３１Ｂとされ、分割断熱材３１Ａ、３１Ｂの分割境界部Ｒを開き、当該分割断熱材３１Ａ、３１Ｂの分割境界部Ｒの開き口Ｋから挿入される空調用配管２３をそれら２層の断熱材３１、３２の間に納める。
【００３０】
外壁１３内に装填した分割断熱材３１Ａ、３１Ｂの分割境界部Ｒを開くことで、空調用配管２３をその分割境界部Ｒの開き口Ｋから２層の断熱材３１、３２の間に挿入した後、分割断熱材３１Ａ、３１Ｂの分割境界部Ｒを単に閉じることで、２層の断熱材３１、３２の内部に簡易に空調用配管２３を納めることができる。
【００３１】
尚、このようにして外壁１３内に納めた空調用配管２３のメンテナンス等のための取出しも簡易である。
【００３２】
(b)ユニット建物１０が複数の建物ユニット１１を現地で上下（又は左右）に組立てられるユニット建物１０であるときには、予め各建物ユニット１１の工場生産段階でそれらの外壁１３内に上述の２層の断熱材３０を装填しておく。そして、現地施工段階で、複数の建物ユニット１１に渡る長尺の空調用配管２３を、上述(a)の如くに簡易に、各建物ユニット１１の外壁１３内に装填してある分割断熱材３１Ａ、３１Ｂの分割境界部Ｒから２層の断熱材３１、３２の内部に納める。これにより、各建物ユニット１１毎に区分けした複数の短尺の空調用配管２３や継手を用いることなく、各建物ユニット１１の外壁１３内に設けられる断熱材３０の内部に空調用配管２３を延在する施工作業性を向上できる。
【００３３】
(c)ユニット建物１０の外壁面材１５の内側に、室内側の内層と室外側の外層の内外２層をなす内層断熱材３１と外層断熱材３２が積層されて装填され、内層断熱材３１が分割断熱材３１Ａ、３１Ｂとされる。
【００３４】
ユニット建物１０の外壁１３が、建物ユニット１１の工場生産段階における如くに予め外壁面材１５だけを設けてあるとき、室内側の内層と室外側の外層の内外２層をなす断熱材３０のうち、内層断熱材３１を上述(a)、(b)の分割断熱材３１Ａ、３１Ｂとする。これにより、空調用配管２３を、上述(a)、(b)の如くに簡易に、ユニット建物１０の室内側に装填してある分割断熱材３１Ａ、３１Ｂの分割境界部Ｒから内層断熱材３１と外層断熱材３２の内部に納めることができる。その後、内壁面材１６が設けられる。
【００３５】
(d)上述(a)〜(c)の配管類を空調用配管２３としたから、空調用配管２３は２層の断熱材３１、３２により外部に対して密封され、空調用配管２３内の冷媒、熱媒の断熱、遮音が図られる。
【００３６】
以上、本発明の実施の形態を図面により記述したが、本発明の具体的な構成はこの実施の形態に限られるものではなく、本発明の要旨を逸脱しない範囲の設計の変更等があっても本発明に含まれる。例えば、本発明は、建物の外壁内の断熱材の内部に配管類を納めるものに限らず、建物の内壁、床、天井、屋根の内部に設けてある断熱材の内部に配管類を納めるものにも適用できる。
【００３７】
また、本発明は、ユニット建物に限らず、一般建物の配管方法にも適用できる。
また、本発明が適用される配管類は、空調用配管に限らず、給排水配管や屋根に設置される太陽熱温水器用配管等であっても良い。
【産業上の利用可能性】
【００３８】
本発明は、建物の壁、床、天井、又は屋根のいずれかの内部に設けてある断熱材の内部に配管類を納める建物の配管方法において、断熱材として２層をなして積層される断熱材を装填し、２層の断熱材のうちの少なくとも１層の断熱材が互いに２分割された分割断熱材とされ、分割断熱材の分割境界部を開き、当該分割断熱材の分割境界部の開き口から挿入される配管類をそれら２層の断熱材の間に納める。これにより、建物の壁、床、天井、又は屋根のいずれかの内部に設けられる断熱材の内部に簡易に配管類を納めることができる。また、複数の建物ユニットからなる建物に配管類を延在する施工作業性を向上できる。
【符号の説明】
【００３９】
１０  ユニット建物
１１  建物ユニット
１３  外壁
１５  外壁面材
１６  内壁面材
２３  空調用配管（配管類）
３０  断熱材
３１  内層断熱材
３１Ａ、３１Ｂ  分割断熱材
３２  外層断熱材
Ｒ  分割境界部
Ｋ  開き口
【図１】
0005508217.tif 000002
【図２】
0005508217.tif 000003